(57)【特許請求の範囲】
【請求項１】
フェイスとして機能する装飾体１と、バッキングとして機能する装飾体１と、これらを連接する連接部２とからなるチェーン式のカフリンクスであって、
連接部２を三叉に構成し、三叉の枝部分の先にはそれぞれフェイスとして機能する装飾体１とバッキングとして機能する装飾体１のいずれかを有することにより構成することを特徴とするカフリンクス。
【請求項２】
装飾体１のうち少なくとも一つをくるみボタンで構成することを特徴とする請求項１に記載のカフリンクス。
【請求項３】
くるみボタンの表面にはネクタイの生地を使用することを特徴とする請求項２に記載のカフリンクス。
【請求項４】
三叉に構成した連接部２の３つの枝部分の内、一つの枝部分の長さが他の枝部分のいずれか一つの長さと異なることを特徴とする請求項１乃至３のいずれかに記載のカフリンクス。
【請求項５】
連接部２をチェーンにより構成することを特徴とする請求項１乃至４のいずれかに記載のカフリンクス。
【請求項６】
連接部２を紐状部材で構成することを特徴とする請求項１乃至４のいずれかに記載のカフリンクス。
【請求項７】
連接部２の一部に弾性部材を用いることを特徴とする請求項１乃至６のいずれかに記載のカフリンクス。
【発明の詳細な説明】
【技術分野】
【０００１】
本発明は、カフリンクスの発明であり、より詳細にはチェーン式のカフリンクスに係る発明である。
【背景技術】
【０００２】
カフリンクスはワイシャツの袖口をとめる装身具であって、フェイスとバッキングを鎖でつないだチェーン式のものや装飾体部分と桿状部分とストッパー部分からなり、ストッパー部が回転してＴ字状で止めるスイベル式のもの、スナップボタンでつなげるスナップ式のもの等が用いられている。
【０００３】
現在はスイベル式のものが多用されており、例えば特開平１０‐７１００５号、実登第３１３１３９９号、特開２０００−２１０１０５号等の先行例がある。
更に、カフリンクスについて飾りボタンを用いたものや或いはカフリンクス本体の表面にネクタイ地の一部を用いて装飾性を高めたもの等も実登第３１２５２９６号、実登第３０１４９５４号として存在する。
【先行技術文献】
【特許文献】
【０００４】
【特許文献１】特開平１０‐７１００５号
【特許文献２】実登第３１３１３９９号
【特許文献３】特開２０００−２１０１０５号
【特許文献４】実登第３１２５２９６号
【特許文献５】実登第３０１４９５４号
【発明の概要】
【発明が解決しようとする課題】
【０００５】
以上の様に、カフリンクスは各種存在するが、特にチェーン式のものは、フェイスとバッキングとをチェーンでつないで構成するものであり、一のフェイスと一のバッキングからなるものである。
更にこのフェイスは一般的に金属製等により構成されているものが多く、カフリンクスとしての変化に乏しいことから、現在はカフリンクスの主流はスイベル式のもの等が主流となっている。
【０００６】
しかし、このチェーン式に関しても従来の形式ではなく更に新しい構造を有することにより、全く新鮮な印象を表出させうるものであり、特にデザインの点でまったく新しいデザインを付与できると共に従来にない新しい構造を加味することが可能であり、チェーン式の復活も可能となる。
【０００７】
更にチェーン式のフェイスとバッキングに金属製以外の新たな構成を新規に付与することにより使い勝手の点だけでなく更に各人の趣向に添いうる新規なカフリンクスの提供を可能とする。
従って、これらを可能とするチェーン式のカフリンクスの提供が望まれるものである。
【課題を解決するための手段】
【０００８】
係るためまず請求項１記載の本発明は、フェイスとして機能する装飾体と、バッキングとして機能する装飾体と、これらを連接する連接部とからなるチェーン式のカフリンクスであって、連接部を三叉に構成し、三叉の枝部分の先にはそれぞれフェイスとして機能する装飾体とバッキングとして機能する装飾体のいずれかを有するカフリンクスからなり、係る発明により前記課題を達成できる。
【０００９】
或いは請求項２に係る発明のように装飾体のうち少なくとも一つをくるみボタンで構成したカフリンクスであってもよい。
この場合、請求項３に係る発明のようにくるみボタンの表面にはネクタイの生地を使用するカフリンクスによってもよい。
又、請求項４に係る発明のように三叉に構成した連接部の３つの枝部分の内、一つの枝部分の長さが他の枝部分のいずれか一つの長さと異なるカフリンクスを用いてもよい。
【００１０】
更に、請求項５に係る発明のように連接部がチェーンにより構成するカフリンクスでも、請求項６に係る発明のように連接部が紐状部材で構成するカフリンクスでもよく、或いは請求項７に係る発明のように連接部の一部に弾性部材を用いたカフリンクスを用いてもよい。
【発明の効果】
【００１１】
以上のように構成したことから、まず請求項１に係る発明によりフェイスとバッキングである装飾体を３つ用いることができ、フェイスとして或いはバッキングとして２つの装飾体を用いることのできるものであって、さまざまなデザイン的価値を表出できると共に袖口に装着する際に三叉の内の一つのみの挿通によって簡単に装脱着できる反面、少なくとも２つの装飾体を用いた方は装着がより強固に行えることとなる。
【００１２】
従って、一のカフリンクスで多様な装飾状態での装着を可能とするとともによりきっちりとした取付状態を得ることができ、取り付けやすいカフリンクスの提供ができる。
又請求項２に係る発明によって、三叉の連接部を有するチェーン式のカフリンクスにおいてくるみボタンの使用が可能であり、さまざまな外観を任意に表出できることとなり、デザインの範囲を広く取ることができる。
例えばそれぞれのくるみボタンの表面の生地を一致させても、或いは全部異なるものとしてもよく、応用の範囲の極めて広いカフリンクスの提供を可能とする。
【００１３】
更に請求項３に係る発明によってこの様な三叉のカフリンクスのくるみボタンにネクタイ生地を使用でき、極めて趣味性や嗜好性の高いオシャレかカフリンクスの提供を可能とする。
又請求項４に係る発明により連接部の枝部分の長さを異にすることができ、それぞれの袖口への装着に適合した任意の長さの三叉の枝部分の長さを有する連接部を提供できるものである。
【００１４】
更に請求項５に係る発明により連接部をチェーンにより構成できるものの他、請求項６に係る発明により紐状部材により三叉の連接部を構成できるものとなる。
このことより各種の部材により連接部を構成できることとなることから応用範囲の広い極めて使い勝手の良いカフリンクスの提供を可能とする。
【００１５】
更に請求項７に係る発明によって連接部に弾性部材を使用できるものであり、袖口への装脱着に際してこの弾性部材の伸縮性により簡単かつ確実に行えるばかりでなく、装着時においてもその弾力をもってしっかりと袖口に装着できるものである。
【図面の簡単な説明】
【００１６】
【図１】本発明に係るカフリンクスの一例を示す図
【図２】本発明に係るカフリンクスの他の一例を示す図
【図３】本発明に係るカフリンクスの他の一例を示す図
【図４】本発明に係るカフリンクスの他の一例を示す図
【図５】本発明に係るカフリンクスをシャツの袖口に装着した一例を示す図
【発明を実施するための形態】
【００１７】
図１は、本発明に係るカフリンクスの一例を示す図であり、チェーン２によって連接されているフェイスとして機能する装飾体とバッキングとして機能する装飾体とについて、更にフェイスとして機能する装飾体を１つ有し、計３つの装飾体１を有する一例を示す図である。
【００１８】
本来カフリンクスのうち特にチェーン式に関しては、シャツの袖口を留めるものであり、表面に出るフェイスと裏側で抑えるバッキングからなり、これら２つの装飾体をチェーンなどで連接して、袖口の留め具として装着するものである。
従って、本来は２つの装飾体だけからなる。
【００１９】
然るに本発明に係るチェーン式に関しては計３つの装飾体１をチェーンからなる連接部２で三叉に分かれて構成しているものである。
従ってこの連接部２は三叉に分かれたチェーンからなるものであり、更にこの三叉のそれぞれの先には装飾体１が装着しているものである。
【００２０】
この３つの装飾体１は２つをフェイスとして機能する装飾体として、その余の１つをバッキングとして機能する装飾体として用いるものであってもよく、フェイスとして機能する装飾体を１つとして、その余の２つをバッキングとして機能する装飾体として用いるものであってもよい。
これらは任意に使用すればよいものであり、少なくともフェイスとして機能する装飾体とバッキングとして機能する装飾体をそれぞれ１つずつ用いるものであればよい。
更にこれらの三叉のチェーンはそれぞれ同程度の長さによって構成されているものである。
【００２１】
この場合、基本的にはこの連接部２に関しては装飾体用の連接環２１を複数連接して構成してなるものであり、これらによりチェーンを構成するものであって、このチェーン構成が最適であることから、金具のチェーンが最適であるが、例えばその他の部材例えば伸縮性を有するゴムなどの弾性部材を用いてもよく、或いは紐状部材等を用いたものであってもよい。
少なくともフェイスとバッキングの装飾体１が３つあり、それぞれを三叉で連接しているものであればよい。
【００２２】
次に本図に示す構成はフェイスとバッキングの装飾体１がクルミボタンよりなるものである。
従ってその表面には各種の生地や材質を用いることができる。
これにより、例えばネクタイの生地と合わせたカフリンクスの装飾体１を用いることや、上着の生地等と一致させて用いること、或いはネッカチーフ等と一致させること等極めておしゃれにかつ上品に用いることを可能とする。
【００２３】
この場合、この装飾体のクルミボタンはすべて同一の大きさのものであるのに限らず異なる大きさのクルミボタンをあってもよい。
形状などが異なるクルミボタンを用いてもよい。
更にはそれぞれのクルミボタンの表面に施すべき装飾部分は同一の生地を用いるもののほか、任意の生地の組み合わせや任意の種類の任意材質からなる表面装飾部分を用いるものであってもよい。
【００２４】
例えばくるみボタンの全ての表面の生地を一致させてもよいものであり、又一つだけ異なる生地にしても、或いは全て異なる生地を用いてもよい。
全て異なる生地を表面に用いたくるみボタンを使用する場合には、フェイスに２つ使用する場合には３種類の装着パターンが可能となる。
【００２５】
即ち、それぞれ異なる表面生地を有するくるみボタンが３種類あることからフェイスにあらわれるくるみボタンの組み合わせの種類も３種類あるものであり、更には逆にフェイスに一つのくるみボタンを用いる場合にも同様に３種類の装着パターンを有する。
【００２６】
従ってその用い方により本発明に係るカフリンクスにおいて例えばそれぞれ異なる生地を用いたくるみボタンを３つ用いた場合には、フェイスに２つ用いる場合に３種類、更にフェイスに一つのくるみボタンを用いる場合にも３種類の組み合わせを有するものとなり、多様な装着状況を任意に表出できるものである。
【００２７】
更には、クルミボタン以外の他の種類のボタンを用いたものであっても、或いは他の装飾体を用いたものであってもよい。
図２は、本発明に係るカフリンクスの他の一例を示す図である。
本図構成においては、フェイスとして機能する装飾体とバッキングとして機能する装飾体を３つそれぞれの連接環２１に連設した上、更にその三叉の中心部分にゴム製からなる環状の弾性部材からなる環状弾性体２２を用いて連接部２を構成しているものである。
【００２８】
従って、このように弾性部材を用いると袖口への装着時や脱着時に関してはこの弾性部材の弾性力によって必要に応じて延伸状態で装着・脱着を行え、これらの便宜が図れる反面、装着状態においては、弾性部材の収縮力によって弾力をもって装着できることとなる。
【００２９】
図３は、本発明に係るカフリンクスの他の一例を示す図である。
本図構成においては連接部が図１に示す構成より小型の環状部材からなる連接環２１を用いて構成した一例である。
本図構成のように構成したものであってもよい。
【００３０】
図４は、フェイスとして機能する装飾体とバッキングとして機能する装飾体とのそれぞれの三叉の連接部２の長さの異なる一例を示す図であり、本図構成に関しては装飾体２の３つのそれぞれの三叉の連接部２の内、そのひとつの枝部分の長さが異なる一例を示す図である。
本図構成においては、連接部２の三叉の内の一の枝部分が他の二つより長い構成の一例を示す図である。
【００３１】
この様に構成しても、カフリンクスとして十分に機能を発揮できるものであり、一の装飾体の連接部の枝部分の長さが異なることにより極めて特殊なデザイン的効果を発揮できるものである。
更に、このほか一つだけでなく二つの枝部分が長い連接部２を用いてもよい。
【００３２】
従って更に、一の枝部分の連接部２が短い構成でも、或いは二つの枝部分の連接部２が短い構成をとってもいずれでもよい。
少なくとも三叉を構成する連接部２の一の枝部分の長さが異なる構成の連接部２を用いてもよい。
更に図示していないが、この三叉を構成する連接部２のそれぞれの枝部分に先端に連接する装飾体１との連接部分が異なる部材で構成されているものであってももちろん良い。
【００３３】
例えば２つの装飾体１との連接部の内少なくとも枝部分がチェーンで構成し、他の一つの連接部２の枝部分が異なる部材例えば弾性部材や紐状部材などで構成するものであってもよい。
この場合１つの連接部２の枝部分をチェーンで構成し、他の２つの連接部の枝部分が異なる紐状部材などで構成されているものであってももちろん良い。
もとよりこれらのようにそれぞれの連接部の部材が異なるものを用いてもよいものである。
【００３４】
図５は、本発明に係るカフリンクスを用いた一例を袖口に装着した状態を示す図である。
このように袖口をきっちりと押えることができると共にフェイスとして２つの装飾体を見栄え良く表出することができる。
【符号の説明】
【００３５】
１    装飾体
２    連接部
２１  連接環
２２  環状弾性体
【図１】
0005910856.tif 000002
【図２】
0005910856.tif 000003
【図３】
0005910856.tif 000004
【図４】
0005910856.tif 000005
【図５】
0005910856.tif 000006